【事件の表示】
　特願２０１６−２３０３１９「太陽光発電制御装置」拒絶査定不服審判事件〔平成３０年　６月　７日出願公開、特開２０１８−　８８０７３、請求項の数（１）〕について、次のとおり審決する。
【結　論】
　原査定を取り消す。
　本願の発明は、特許すべきものとする。
【理　由】
第１　手続の経緯
　本願は，平成２８年１１月２８日の出願であって，令和２年６月１日付けで拒絶理由通知がされ，令和２年７月８日付けで意見書が提出されると同時に手続補正がされたが，令和２年８月１７日付けで拒絶査定（原査定）がされ，これに対し，令和２年１０月２３日に拒絶査定不服審判の請求がされると同時に手続補正がされたものである。
第２　原査定の概要
　原査定（令和２年８月１７日付け拒絶査定）の概要は次のとおりである。
　
（進歩性）この出願の請求項１に係る発明は，以下の引用文献１に基づいて，その発明の属する技術の分野における通常の知識を有する者（以下，「当業者」という。）が容易に発明できたものであるから，特許法第２９条第２項の規定により特許を受けることができない。
　　　　　　　　　　　　　　引　用　文　献　等　一　覧
１.特開２０１４−１９９４７７号公報
第３　本願発明
　本願請求項１に係る発明（以下，「本願発明」という。）は，令和２年１０月２３日付けの手続補正で補正された特許請求の範囲の請求項１に記載された事項により特定される発明であり，以下のとおりのものである。
「【請求項１】
　太陽電池で発電される電力を、当該太陽電池の発電電力を入力してバッテリーに出力する昇降圧型のＤＣ／ＤＣコンバータを用いて制御する太陽光発電制御装置であって、
　前記太陽電池の発電電力を監視する電力監視部と、
　前記太陽電池の発電電力が所定の基準電力以上であるか否かを判断する電力判断部と、
　前記太陽電池の発電電力が前記基準電力以上の場合には、最大電力点追従手法によって前記発電電力を制御し、前記太陽電池の発電電力が前記基準電力未満の場合には、前記ＤＣ／ＤＣコンバータが行うスイッチング動作のデューティ比を固定し、前記太陽電池の出力電圧を前記ＤＣ／ＤＣコンバータに接続される前記バッテリーの蓄電電圧に基づく所定の電圧に収束させる手法によって、前記発電電力を制御する電力制御部と、を備え、
　前記電力制御部は、前記デューティ比を昇圧及び降圧のいずれも動作しないデューティ比に固定する、
太陽光発電制御装置。」
第４　引用文献，引用発明等
１　引用文献１について
ア　本願の出願日前に頒布され，原査定の拒絶の理由に引用された，特開２０１４−１９９４７７号公報（以下，これを「引用文献１」という。）には，図面とともに次の事項が記載されている。（下線は当審により付与。）
ａ　「【背景技術】
【０００２】
　従来、
太陽光パネル（ＰＶ（Ｐｈｏｔｏ Ｖｏｌｔａｉｃ）パネル）
【０００３】
　太陽光パネルによる発電量は、例えば、太陽放射照度、天候（例えば温度、雲量）に依存する。太陽光発電による発電電力を最大にするために、
最大電力点追従制御（ＭＰＰＴ：Ｍａｘｉｍｕｍ Ｐｏｗｅｒ Ｐｏｉｎｔ Ｔｒａｃｋｉｎｇ）（以下、ＭＰＰＴ制御ともいう）
ｂ　「【００２３】
（実施形態） 
　図１は、本発明の実施形態における太陽光発電システム１００の構成例を示す図である。
太陽光発電システム１００は、ＰＶパネル１０、ＭＰＰＴ子機２０、ＭＰＰＴ親機３０、接続箱４０、及びパワーコンディショナ５０を備える
【００２４】
　ＰＶパネル１０は、光電効果により、光エネルギーを電力に変換する太陽電池を含むパネルである。ＰＶパネル１０は、複数の太陽電池セルが組み合わされた太陽電池モジュールである。ＰＶパネル１０は、電力線ＰＬに対して直列又は並列に接続される。
各ＰＶパネル１０は、各ＭＰＰＴ子機２０と１対１で対応している
【００２５】
　図１の例では、
各ＰＶパネル１０が電力線ＰＬを介して直列に接続された太陽電池ストリング（ＰＶストリング）として構成されている。また、各太陽電池ストリングが電力線ＰＬを介して接続箱４０において並列に接続され、太陽電池アレイ（ＰＶアレイ）として構成されている
【００２６】
　ＭＰＰＴ子機２０は、自装置に接続されたＰＶパネル１０の発電電力を制御する。つまり、ＭＰＰＴ子機２０は、自装置に接続されたＰＶパネル１０の発電電力を入力し、この発電電力が所望の電力となるように制御する。所望の電力は、例えば、ＰＶパネル１０の向き、ＰＶパネル１０の設置場所、又は日照条件によって、ＭＰＰＴ子機２０毎に異なることがある。
【００２７】
　例えば、
ＭＰＰＴ子機２０は、自装置に接続されたＰＶパネル１０に対してＭＰＰＴ制御する
【００２８】
　ＭＰＰＴ親機３０は、複数のＭＰＰＴ子機２０の親機として動作する。また、ＭＰＰＴ親機３０は、例えば、ＭＰＰＴ子機２０による測定値（例えば、電流、電圧、又は電力の測定値）をＭＰＰＴ子機２０から受信し、ＰＶパネル１０の発電量を常時監視する。
【００２９】
　ＭＰＰＴ親機３０の設置場所は、特に限定しない。例えば、単独の装置としてＭＰＰＴ子機２０との通信が可能な場所に設置されてもよいし、パワーコンディショナ５０内に設置されてもよいし、接続箱４０内に設置されてもよい。図１では、単独の装置として設置された場合を例示している。
【００３０】
? 
接続箱４０は、複数のＰＶパネル１０が直列に接続されて構成されるＰＶストリング単位で配線としての電力線ＰＬをまとめて（集線し）、パワーコンディショナ５０に接続する
【００３１】
? また、接続箱４０は、パワーコンディショナ５０と一体化されてもよい。また、接続箱４０は、省略されてもよい。
【００３２】
　パワーコンディショナ５０は、接続箱４０から出力された直流電力を変換（ＤＣＤＣ変換）し、さらに交流電力に変換（ＤＣＡＣ変換）する。パワーコンディショナ５０は、例えば分電盤（不図示）に接続される。
【００３３】
　また、
パワーコンディショナ５０は、ＤＣＤＣ変換では、パワーコンディショナ５０に入力された電力について、ＭＰＰＴ制御する。パワーコンディショナ５０のＭＰＰＴ制御とは、太陽光発電システム１００に含まれるＰＶパネル１０の総発電量を最大とするための制御である
【００３４】
　次に、ＭＰＰＴ子機２０の構成例について説明する。 図２はＭＰＰＴ子機２０の構成例を示す図である。図３はＭＰＰＴ子機２０の詳細な構成例の一部を示す図である。
ＭＰＰＴ子機２０は、スイッチ部２１、電源部２２、電流電圧検出部２３，２４、ＤＣＤＣ部２５、制御部２６、通信部２７、入力端子２８、及び出力端子２９を備える
【００３５】
　
スイッチ部２１は、ＭＰＰＴ子機２０の入力端子２８側と出力端子２９側とを電気的に接続又は遮断させる。スイッチ部２１は、制御部２６からの切り替え信号に応じて、オンオフ制御される
【００３６】
　入力端子２８側と出力端子２９側とを電気的に接続させた場合（ＯＮ）、ＭＰＰＴ子機２０に接続されたＰＶパネル１０からの電力を、出力端子２９側へそのまま通過させる。これにより、ＰＶパネル１０の出力をモニタリングできる。例えば、ＭＰＰＴ制御の実行中には、スイッチ部２１はオフにされる。
【００３７】
　入力端子２８側と出力端子２９側とを電気的に遮断させた場合（ＯＦＦ）、ＭＰＰＴ子機２０に接続されたＰＶパネル１０からの電力は、スイッチ部２１を介した経路では出力されない。例えば、ＭＰＰＴ制御の停止中には、スイッチ部２１はオンにされる。
【００３８】
　電源部２２は、ＰＶパネル１０からの電力供給を受けて、ＭＰＰＴ子機２０内の各部へ電力を供給する。
【００３９】
　
電流電圧検出部２３は、ＰＶパネル１０の出力電流及び出力電圧を検出する。つまり、ＤＣＤＣ部２５による電圧変換前の電流値及び電圧値を検出する
【００４０】
　電流電圧検出部２４は、スイッチ部２１又はＤＣＤＣ部２５の出力電流又は出力電圧を検出する。つまり、スイッチ部２１を通過された電流値及び電圧値、又は、ＤＣＤＣ部２５による電圧変換後の電流値及び電圧値を検出する。なお、電流電圧検出部２４により検出される電流を出力側検出電流、電流電圧検出部２４により検出される電圧を出力側検出電圧、とも称する。また、出力側とは、スイッチ部２１、ＤＣＤＣ部２５、又は制御部２６よりも出力端子２９側であることを示す。
【００４１】
　
ＤＣＤＣ部２５は、ＤＣ／ＤＣコンバータであり、電力変換用のスイッチング素子を有するスイッチ部２５Ｓを備える
【００４２】
　
ＤＣＤＣ部２５は、ＰＶパネル１０の出力電圧を入力し、スイッチ部２５Ｓを用いて、入力された電圧を変圧する。スイッチ部２５Ｓは、制御部２６からのＰＷＭ（Ｐｕｌｓｅ Ｗｉｄｔｈ Ｍｏｄｕｌａｔｉｏｎ）信号に応じて、オンオフ制御される
【００４３】
　制御部２６は、例えば、不図示のＲＯＭに格納されたプログラムをマイクロコンピュータが実行することで、各種処理を行う。
【００４４】
　制御部２６は、ＭＰＰＴ制御する場合には、出力側検出電圧が所定の電圧となるよう、
ＤＣＤＣ部２５のスイッチ部２５Ｓの
デューティ比（ＰＷＭ値）
【００４５】
　ＰＶパネル１０の出力電圧は、ＭＰＰＴ子機２０の入力側検出電圧として検出される。ＰＶパネル１０の出力電流は、ＭＰＰＴ子機２０の入力側検出電流として検出される。また、ＰＶパネル１０の出力電力は、例えば制御部２６により、ＭＰＰＴ子機２０により検出された入力側検出電圧と入力側検出電流との積として導出（例えば算出）される。つまり制御部２６は、電力導出部としての機能を有する。なお、ＭＰＰＴ子機２０が、入力側の電力を検出する電力検出器を備えてもよい。導出された入力側の電力を入力側電力とも称する。また、入力側とは、スイッチ部２１、ＤＣＤＣ部２５、又は制御部２６よりも入力端子２８側であることを示す。」
ｃ　「【００５７】
　ＭＰＰＴ子機２０の出力側の動作点は、上述したパワーコンディショナ５０によって制御される。
パワーコンディショナ５０は複数のＰＶパネル１０を含むＰＶストリングの発電量が最大となるように制御する。例えば、山登り法などによって、ＰＶストリング上の電力が最大となるように、ＰＶストリング上の電流、電圧を制御する。ＰＶストリング上の電圧は、複数のＭＰＰＴ子機２０が出力した電圧の和になる。一方、ＰＶストリング上の電流は、ＰＶストリングは直列接続であるため、各ＭＰＰＴ子機２０が出力する電流となる
【００５８】
　
上記パワーコンディショナ５０の制御により、各ＭＰＰＴ子機２０の出力側の動作点（電圧、電流）は決定される
ｄ　「【０１５８】
（第６動作例）
　図１６は
ＭＰＰＴ子機２０
動作
　　　　　　　　　　　　　　　・・・中略・・・
【０１６２】
　図１７はＭＰＰＴ子機２０の第６動作例を示すフローチャートである。
【０１６３】
　まず、
電流電圧検出部２３は、ＰＶパネル１０の出力電圧を入力側検出電圧Ｖｉｎとして逐次検出し、ＰＶパネル１０の出力電流を入力側検出電流Ｉｉｎとして逐次検出する
【０１６４】
　
続いて、制御部２６は、入力側検出電圧Ｖｉｎと入力側検出電流Ｉｉｎとを乗じて、入力側電力Ｗｉｎを算出する
【０１６５】
　続いて、制御部２６は、入力側電力Ｗｉｎと比較される比較値Ｗｉｎ＿ｃｏｍｐが０であるか否かを判定する（Ｓ６０３）。比較値Ｗｉｎ＿ｃｏｍｐの初期値は０である。
【０１６６】
　Ｗｉｎ＿ｃｏｍｐが０である場合、制御部２６は、入力側電力Ｗｉｎの値を比較値Ｗｉｎ＿ｃｏｍｐに設定する（Ｓ６０５）。Ｓ６０５の処理後、電流電圧検出部２３は、次のサンプリング値を取得する（Ｓ６０１）。
【０１６７】
　一方、Ｗｉｎ＿ｃｏｍｐが０でない場合、
制御部２６は、比較値Ｗｉｎ＿ｃｏｍｐが入力側電力Ｗｉｎ未満であるか否かを判定する
【０１６８】
　比較値Ｗｉｎ＿ｃｏｍｐが入力側電力Ｗｉｎ未満である場合、制御部２６は、入力側電力Ｗｉｎの値を比較値Ｗｉｎ＿ｃｏｍｐに設定する（Ｓ６０５）。Ｓ６０５の処理後、電流電圧検出部２３は、次のサンプリング値を取得する
【０１６９】
　
一方、比較値Ｗｉｎ＿ｃｏｍｐが入力側電力Ｗｉｎよりも大きい場合、制御部２６は、ＭＰＰＴ制御を開始する
　　　　　　　　　　　　　　　・・・中略・・・
【０１７５】
　
上記実施形態では、制御部２６は、
入力側電力Ｗｉｎが所定値以下である場合、実行中のＭＰＰＴ制御を停止してもよい
ＭＰＰＴ制御を停止する場合には、
制御部２６は、ＤＣＤＣ部２５のＰＷＭ値を固定し、又はスイッチ部２１がオンになるよう制御する
【０１７６】
　これにより、精度の低いＭＰＰＴ制御が実行されることを回避できる。」
ｅ　「図１
　　　　　　　　　　　　　　　　　　　　　　　　　　　　　　　　　　　　　　　　　　」
ｆ　「図２
　　　　　　　　　　　　　　　　　　　　　　　　　　　　　　　　　　　　　　　　　　」
ｇ　「図３
　　　　　　　　　　　　　　　　　　　　　　　　　　　　　　　」
ｈ　「図１７
　　　　　　　　　　　　　　　　　　　　　　　　　　　　　　　　　　　　　　　　　　　　　　　　　　　　　　　　　　　　　」
ｉ　上記ｂの段落【００２３】には，“ＰＶパネル１０，ＭＰＰＴ子機２０，ＭＰＰＴ親機３０，接続箱４０，及びパワーコンディショナ５０を備える太陽光発電システム１００におけるＭＰＰＴ子機２０”が記載されている。また，上記ａの段落【０００２】には，“ＰＶパネルは太陽光パネルである”ことが記載されている。
　してみると，引用文献１には，“ＰＶパネル（太陽光パネル）１０，ＭＰＰＴ子機２０，ＭＰＰＴ親機３０，接続箱４０，及びパワーコンディショナ５０を備える太陽光発電システム１００におけるＭＰＰＴ子機２０”が記載されているといえる。
ｊ　上記ｂの段落【００２５】には，“各ＰＶパネル１０が電力線ＰＬを介して直列に接続された太陽電池ストリング（ＰＶストリング）として構成され，また，各太陽電池ストリングが電力線ＰＬを介して接続箱４０において並列に接続され，太陽電池アレイ（ＰＶアレイ）として構成されて”いることが記載されている。 
ｋ　上記ｂの段落【００３０】には，「接続箱４０は、複数のＰＶパネル１０が直列に接続されて構成されるＰＶストリング単位で配線としての電力線ＰＬをまとめて（集線し）、パワーコンディショナ５０に接続」されることが記載されている。
ｍ　上記ｂの段落【００３３】には，“パワーコンディショナ５０は，ＤＣＤＣ変換では，パワーコンディショナ５０に入力される太陽光発電システム１００に含まれるＰＶパネル１０の総発電量を最大とするための制御であるＭＰＰＴ制御を行うものである”ことが，さらに，上記ｃには，“パワーコンディショナ５０は，複数のＰＶパネル１０を含むＰＶストリングの発電量が最大となるように，山登り法などによって，ＰＶストリング上の電力が最大となるように，ＰＶストリング上の電流，電圧を制御するものであって，ＰＶストリング上の電圧は，複数のＭＰＰＴ子機２０が出力した電圧の和であり，一方，ＰＶストリング上の電流は，ＰＶストリングは直列接続であるため，各ＭＰＰＴ子機２０が出力する電流であり，パワーコンディショナ５０の制御により，各ＭＰＰＴ子機２０の出力側の動作点（電圧，電流）は決定される”ことが記載されている。
　また，上記ａの段落【０００３】には，“ＭＰＰＴ制御は最大電力点追従制御（ＭＰＰＴ：Ｍａｘｉｍｕｍ Ｐｏｗｅｒ Ｐｏｉｎｔ Ｔｒａｃｋｉｎｇ）である”ことが記載されている。
　してみると，引用文献１には，“パワーコンディショナ５０は，ＤＣＤＣ変換では，パワーコンディショナ５０に入力される太陽光発電システム１００に含まれるＰＶパネル１０の総発電量を最大とするための制御であるＭＰＰＴ制御（最大電力点追従制御）を行うものであって，複数のＰＶパネル１０を含むＰＶストリングの発電量が最大となるように，山登り法などによって，ＰＶストリング上の電力が最大となるように，ＰＶストリング上の電流，電圧を制御するものであって，ＰＶストリング上の電圧は，複数のＭＰＰＴ子機２０が出力した電圧の和であり，一方，ＰＶストリング上の電流は，ＰＶストリングは直列接続であるため，各ＭＰＰＴ子機２０が出力する電流であり，パワーコンディショナ５０の制御により，各ＭＰＰＴ子機２０の出力側の動作点（電圧，電流）は決定される”ことが記載されているといえる。
ｎ　上記ｂの段落【００２４】及び【００２７】には，“各ＭＰＰＴ子機２０は,各ＰＶパネル１０に１対１で接続されており，また， ＭＰＰＴ子機２０は，自装置に接続されたＰＶパネル１０に対してＭＰＰＴ制御するものであ”ることが記載されている。
ｏ　上記ｂの段落【００３４】には，「ＭＰＰＴ子機２０は、スイッチ部２１、電源部２２、電流電圧検出部２３，２４、ＤＣＤＣ部２５、制御部２６、通信部２７、入力端子２８、及び出力端子２９を備え」ることが記載されている。
ｐ　上記ｂの段落【００３５】には，“スイッチ部２１は，ＭＰＰＴ子機２０の入力端子２８側と出力端子２９側とを電気的に接続又は遮断するものであって，スイッチ部２１は，制御部２６からの切り替え信号に応じて，オンオフ制御されるものであ”ることが記載されている。
ｑ　上記ｂの段落【００３９】には“電流電圧検出部２３は，ＰＶパネル１０の出力電流及び出力電圧を検出するものであって，ＤＣＤＣ部２５による電圧変換前の電流値及び電圧値を検出するものであ”ることが記載されている。
ｒ　上記ｂの段落【００４１】及び【００４２】には，“ＤＣＤＣ部２５は，ＤＣ／ＤＣコンバータであり，電力変換用のスイッチング素子を有するスイッチ部２５Ｓを備え，ＰＶパネル１０の出力電圧を入力し，このスイッチ部２５Ｓを用いて，入力された電圧を変圧するものであり，スイッチ部２５Ｓは，制御部２６からのＰＷＭ（Ｐｕｌｓｅ Ｗｉｄｔｈ Ｍｏｄｕｌａｔｉｏｎ）信号に応じて，オンオフ制御されるものであ”ることが記載されている。また，上記ｇ（図３）によれば，“ＤＣＤＣ部２５のＤＣ／ＤＣコンバータは昇降圧型である”ことが読み取れる。
　してみると，引用文献１には，“ＤＣＤＣ部２５は，昇降圧型であるＤＣ／ＤＣコンバータであり，電力変換用のスイッチング素子を有するスイッチ部２５Ｓを備え，ＰＶパネル１０の出力電圧を入力し，このスイッチ部２５Ｓを用いて，入力された電圧を変圧するものであり，スイッチ部２５Ｓは，制御部２６からのＰＷＭ（Ｐｕｌｓｅ Ｗｉｄｔｈ Ｍｏｄｕｌａｔｉｏｎ）信号に応じて，オンオフ制御されるものであ”ることが記載されているといえる。
ｓ　上記ｄには「ＭＰＰＴ子機２０」の動作として，“電流電圧検出部２３は，ＰＶパネル１０の出力電圧を入力側検出電圧Ｖｉｎとして逐次検出し，ＰＶパネル１０の出力電流を入力側検出電流Ｉｉｎとして逐次検出し，続いて，制御部２６は，入力側検出電圧Ｖｉｎと入力側検出電流Ｉｉｎとを乗じて，入力側電力Ｗｉｎを算出し，続いて，制御部２６は，比較値Ｗｉｎ＿ｃｏｍｐが入力側電力Ｗｉｎ未満であるか否かを判定し，比較値Ｗｉｎ＿ｃｏｍｐが入力側電力Ｗｉｎ未満である場合，制御部２６は，入力側電力Ｗｉｎの値を比較値Ｗｉｎ＿ｃｏｍｐに設定し，その処理後，電流電圧検出部２３は，次のサンプリング値を取得し，一方，比較値Ｗｉｎ＿ｃｏｍｐが入力側電力Ｗｉｎよりも大きい場合，制御部２６は，ＭＰＰＴ制御を開始し，また，制御部２６は，入力側電力Ｗｉｎが所定値以下である場合には，実行中のＭＰＰＴ制御を停止して，ＤＣＤＣ部２５のＰＷＭ値を固定するか，又はスイッチ部２１がオンになるよう制御する”ことが記載されている。
イ　上記aないしｓの記載内容（特に，下線部を参照）からすると，上記引用文献１には次の発明（以下，「引用発明」という。）が記載されている。
「ＰＶパネル（太陽光パネル）１０，ＭＰＰＴ子機２０，ＭＰＰＴ親機３０，接続箱４０，及びパワーコンディショナ５０を備える太陽光発電システム１００におけるＭＰＰＴ子機２０において，
　各ＰＶパネル１０が電力線ＰＬを介して直列に接続された太陽電池ストリング（ＰＶストリング）として構成され，また，各太陽電池ストリングが電力線ＰＬを介して接続箱４０において並列に接続され，太陽電池アレイ（ＰＶアレイ）として構成されており，　
　接続箱４０は，複数のＰＶパネル１０が直列に接続されて構成されるＰＶストリング単位で配線としての電力線ＰＬをまとめて（集線し），パワーコンディショナ５０に接続されるものであり，
　パワーコンディショナ５０は，ＤＣＤＣ変換では，パワーコンディショナ５０に入力される太陽光発電システム１００に含まれるＰＶパネル１０の総発電量を最大とするための制御であるＭＰＰＴ制御（最大電力点追従制御）を行うものであって，複数のＰＶパネル１０を含むＰＶストリングの発電量が最大となるように，山登り法などによって，ＰＶストリング上の電力が最大となるように，ＰＶストリング上の電流，電圧を制御するものであって，ＰＶストリング上の電圧は，複数のＭＰＰＴ子機２０が出力した電圧の和であり，一方，ＰＶストリング上の電流は，ＰＶストリングは直列接続であるため，各ＭＰＰＴ子機２０が出力する電流であり，パワーコンディショナ５０の制御により，各ＭＰＰＴ子機２０の出力側の動作点（電圧、電流）が決定されるものであり，
　各ＭＰＰＴ子機２０は,各ＰＶパネル１０に１対１で接続されており，また，ＭＰＰＴ子機２０は，自装置に接続されたＰＶパネル１０に対してＭＰＰＴ制御するものであり，
　ＭＰＰＴ子機２０は，スイッチ部２１，電源部２２，電流電圧検出部２３，２４，ＤＣＤＣ部２５，制御部２６，通信部２７，入力端子２８，及び出力端子２９を備えており，
　スイッチ部２１は，ＭＰＰＴ子機２０の入力端子２８側と出力端子２９側とを電気的に接続又は遮断するものであって，スイッチ部２１は，制御部２６からの切り替え信号に応じて，オンオフ制御されるものであり，
　電流電圧検出部２３は，ＰＶパネル１０の出力電流及び出力電圧を検出するものであって，ＤＣＤＣ部２５による電圧変換前の電流値及び電圧値を検出するものであり，
　ＤＣＤＣ部２５は，昇降圧型であるＤＣ／ＤＣコンバータであり，電力変換用のスイッチング素子を有するスイッチ部２５Ｓを備え，ＰＶパネル１０の出力電圧を入力し，このスイッチ部２５Ｓを用いて，入力された電圧を変圧するものであり，スイッチ部２５Ｓは，制御部２６からのＰＷＭ（Ｐｕｌｓｅ Ｗｉｄｔｈ Ｍｏｄｕｌａｔｉｏｎ）信号に応じて，オンオフ制御されるものであって，
　電流電圧検出部２３は，ＰＶパネル１０の出力電圧を入力側検出電圧Ｖｉｎとして逐次検出し，ＰＶパネル１０の出力電流を入力側検出電流Ｉｉｎとして逐次検出し，続いて，制御部２６は，入力側検出電圧Ｖｉｎと入力側検出電流Ｉｉｎとを乗じて，入力側電力Ｗｉｎを算出し，続いて，制御部２６は，比較値Ｗｉｎ＿ｃｏｍｐが入力側電力Ｗｉｎ未満であるか否かを判定し， 比較値Ｗｉｎ＿ｃｏｍｐが入力側電力Ｗｉｎ未満である場合，制御部２６は，入力側電力Ｗｉｎの値を比較値Ｗｉｎ＿ｃｏｍｐに設定し，その処理後，電流電圧検出部２３は，次のサンプリング値を取得し，一方，比較値Ｗｉｎ＿ｃｏｍｐが入力側電力Ｗｉｎよりも大きい場合，制御部２６は，ＭＰＰＴ制御を開始し，また，制御部２６は，入力側電力Ｗｉｎが所定値以下である場合には，実行中のＭＰＰＴ制御を停止して，ＤＣＤＣ部２５のＰＷＭ値を固定するか，又はスイッチ部２１がオンになるよう制御する，
ＭＰＰＴ子機２０。」
第５　対比・判断
１　本願発明について
（１）対比
　本願発明と引用発明とを対比する。
ア　引用発明の「ＰＶ（太陽光パネル）パネル１０」は，本願発明の「太陽電池」に相当する。
　また，引用発明の「ＭＰＰＴ子機２０」は，「ＰＶパネル１０に１対１で接続され」，また，「昇降圧型であるＤＣ／ＤＣコンバータであ」って，「入力された電圧を変圧する」「ＤＣＤＣ部２５」を「備え」るものであって，「ＭＰＰＴ子機２０」は，「ＰＶパネル１０」の発電電力を「ＤＣＤＣ部２５」を用いて制御しているといえる。
　してみると，引用発明の「ＤＣＤＣ部２５」と，本願発明の「太陽電池の発電電力を入力してバッテリーに出力する昇降圧型のＤＣ／ＤＣコンバータ」は，後記の点で相違するものの，“太陽電池の発電電力を入力する昇降圧型のＤＣ／ＤＣコンバータ”の点では共通する。　
　そして，引用発明の「ＭＰＰＴ子機２０」と，本願発明の「太陽電池で発電される電力を、当該太陽電池の発電電力を入力してバッテリーに出力する昇降圧型のＤＣ／ＤＣコンバータを用いて制御する太陽光発電制御装置」とは，“太陽電池で発電される電力を，当該太陽電池の発電電力を入力する昇降圧型のＤＣ／ＤＣコンバータを用いて制御する太陽光発電制御装置”の点で共通する。
イ　引用発明の「入力側電力Ｗｉｎ」は，「ＰＶパネル１０の出力電圧」である「入力側検出電圧Ｖｉｎ」と「ＰＶパネル１０の出力電流」である「入力側検出電流Ｉｉｎ」を「乗じ」たものであるから，本願発明の「太陽電池の発電電力」に相当する。
　そして，引用発明の「制御部２６」は，「入力側検出電圧Ｖｉｎと入力側検出電流Ｉｉｎとを乗じて，入力側電力Ｗｉｎを算出し，続いて，制御部２６は，比較値Ｗｉｎ＿ｃｏｍｐが入力側電力Ｗｉｎ未満であるか否かを判定」するものであり，「入力側電力Ｗｉｎ」を監視しているといえる。
　したがって，引用発明の「制御部２６」は，本願発明の「前記太陽電池の発電電力を監視する電力監視部」に相当する機能を備えているといえる。
ウ　また，引用発明の「ＭＰＰＴ子機２０」の「制御部２６」は，「入力側電力Ｗｉｎが所定値以下である場合に，実行中のＭＰＰＴ制御を停止」するものであって，「制御部２６」は，「入力側電力Ｗｉｎが所定値以下である」か否か判断しているといえる。
　してみると，引用発明の「所定値」は，本願発明の「所定の基準電力」に相当し，そして，引用発明の「制御部２６」は，本願発明の「前記太陽電池の発電電力が所定の基準電力以上であるか否かを判断する電力判断部」に相当する機能を備えているといえる。
エ　引用発明の「ＭＰＰＴ制御（最大電力点追従制御）」は，本願発明の「最大電力点追従手法」に相当する。
　そして，引用発明の「ＭＰＰＴ子機２０」の「制御部２６」は，「入力側電力Ｗｉｎが所定値以下である場合に，実行中のＭＰＰＴ制御を停止して，ＤＣＤＣ部２５のＰＷＭ値を固定する」ものであって，当然，「入力側電力Ｗｉｎが所定値」以上では「ＭＰＰＴ制御」が行われるものと認められる。また，引用文献１の上記ｂの段落【００４４】の「ＤＣＤＣ部２５のスイッチ部２５Ｓの・・・（中略）・・・デューティ比（ＰＷＭ値）」との記載から，「ＰＷＭ値」は，「ＤＣＤＣ部２５」の「スイッチ部２５Ｓ」のデューティ比といえる。
　してみると，引用発明の「制御部２６」と，本願発明の「前記太陽電池の発電電力が前記基準電力以上の場合には、最大電力点追従手法によって前記発電電力を制御し、前記太陽電池の発電電力が前記基準電力未満の場合には、前記ＤＣ／ＤＣコンバータが行うスイッチング動作のデューティ比を固定し、前記太陽電池の出力電圧を前記ＤＣ／ＤＣコンバータに接続される前記バッテリーの蓄電電圧に基づく所定の電圧に収束させる手法によって、前記発電電力を制御する電力制御部」とは，後記の点で相違するものの，“前記太陽電池の発電電力が前記基準電力以上の場合には，最大電力点追従手法によって前記発電電力を制御し，前記太陽電池の発電電力が前記基準電力未満の場合には，前記ＤＣ／ＤＣコンバータが行うスイッチング動作のデューティ比を固定し，前記発電電力を制御する電力制御部”の点では共通する。
オ　また，引用発明の「ＭＰＰＴ子機２０」の「制御部２６」が「ＤＣＤＣ部２５のＰＷＭ値を固定する」ことと，本願発明の「電力制御部は、前記デューティ比を昇圧及び降圧のいずれも動作しないデューティ比に固定する」ことは，後記の点で相違するものの，“電力制御部は，前記デューティ比を固定する”点では共通する。
　したがって，本願発明と引用発明との間には，以下の一致点と相違点とがある。
〈一致点〉
「太陽電池で発電される電力を，当該太陽電池の発電電力を入力する昇降圧型のＤＣ／ＤＣコンバータを用いて制御する太陽光発電制御装置であって，
　前記太陽電池の発電電力を監視する電力監視部と，
　前記太陽電池の発電電力が所定の基準電力以上であるか否かを判断する電力判断部と，
　前記太陽電池の発電電力が前記基準電力以上の場合には，最大電力点追従手法によって前記発電電力を制御し，前記太陽電池の発電電力が前記基準電力未満の場合には，前記ＤＣ／ＤＣコンバータが行うスイッチング動作のデューティ比を固定し，前記発電電力を制御する電力制御部と，を備え，
　前記電力制御部は，前記デューティ比を固定する，
太陽光発電制御装置。」
〈相違点１〉
　「ＤＣ／ＤＣコンバータ」の「出力」が，本願発明では，「バッテリーに出力する」ものであるのに対して，引用発明では，接続箱４０を介してパワーコンディショナ５０に出力されている点。
〈相違点２〉
　「電力制御部」が「デューティ比を固定し」制御することが，本願発明では，「前記太陽電池の出力電圧を前記ＤＣ／ＤＣコンバータに接続される前記バッテリーの蓄電電圧に基づく所定の電圧に収束させる手法によ」るものであって，さらに，「前記デューティ比を昇圧及び降圧のいずれも動作しないデューティ比に固定する」ものであるのに対して，引用発明では，そのような手法によるものではなく，さらに，デューティ比にそのような特定がされていない点。
（２）相違点についての判断
　事案に鑑み，相違点２について先に検討する。
　引用発明では「ＭＰＰＴ子機２０」は，「ＤＣＤＣ部２５」以外に「スイッチ部２１」を備えており，「入力側電力Ｗｉｎが所定値以下である場合に，実行中のＭＰＰＴ制御を停止し」た際には，「スイッチ部２１がオンになるよう制御する」こともできるものであって，その際には，「ＭＰＰＴ子機２０の入力端子２８側と出力端子２９側とを電気的に接続」することから，入力電圧と出力電圧は等しく昇圧及び降圧のいずれもされていない状態といえる。
　してみると，引用発明においては，「入力側電力Ｗｉｎが所定値以下である場合」には，「スイッチ部２１」を閉じて昇圧及び降圧のいずれもされていない状態とする制御か，あるいは，「ＤＣＤＣ部２５」の「ＰＷＭ値」を固定し昇圧及び降圧のいずれかを行う制御を行うものと認められる。
　そして，昇圧及び降圧のいずれもされていない状態とするためには「スイッチ部２１」を閉じれば足り，さらに，「ＤＣＤＣ部２５」においても「ＰＷＭ値」を「昇圧及び降圧のいずれも動作しないデューティ比に固定する」理由が存在しない。
　また，太陽電池の発電電力が基準電力未満の場合に，ＤＣ／ＤＣコンバータが行うスイッチング動作のデューティ比を昇圧及び降圧のいずれも動作しない値に固定することが，本願の出願前に周知の技術であったとも認められない。
　したがって，本願発明の相違点２に係る構成が，引用発明に記載の技術事項に基づき当業者が容易に構成し得たものであるとはいえない。
　以上のとおりであるから，他の相違点については検討するまでもなく，本願発明が引用発明に基づき当業者が容易に発明できたものであるとはいえない。
　　　
第６　原査定について
＜特許法２９条２項について＞
　審判請求時の補正により，本願発明は上記第３に示したとおりのものとなっており，当業者であっても，拒絶査定において引用された引用発明（上記第４の引用文献１）に基づいて，容易に発明できたものとはいえない。したがって，原査定の理由を維持することはできない。
第７　むすび
　以上のとおり，原査定の理由によっては，本願を拒絶することはできない。
　また，他に本願を拒絶すべき理由を発見しない。
　よって，結論のとおり審決する。